(57)【特許請求の範囲】
【請求項１】
縦樋を流れ落ちる雨水の流路を切り替えて、雨水を縦樋から取り出すための縦樋雨水切替弁（５）であって、
縦樋上部（１）から縦樋下部（２）へと雨水を流す上下管（６）と、
前記上下管（６）から分岐した雨水取出管（７）と、
雨水取出管（７）の端部に装着する開閉栓（１２）と、
前記上下管（６）と前記雨水取出管（７）との間を行き来可能な球形バルブ（１３）と、
前記開閉栓（１２）と前記球形バルブ（１３）とを連結する線条体（１５）とを備え、
前記球形バルブ（１３）が前記上下管（６）の位置にあり、雨水が前記雨水取出管（７）に導かれる状態と、前記線条体（１５）で前記球形バルブ（１３）を前記雨水取出管（７）に引き込んで、雨水が前記縦樋上部（１）から前記縦樋下部（２）へ流れる状態とを切り替えられることを特徴とする縦樋雨水切替弁（５）。
【請求項２】
前記上下管（６）又は前記雨水取出管（７）の少なくとも一方に、弁座となる管（４）を嵌め込み、前記管（４）の端部で前記球形バルブ（１３）の移動を規制するようにした請求項１に記載の縦樋雨水切替弁（５）。
【請求項３】
前記雨水取出管（７）を複数設けて、複数の前記雨水取出管（７）のそれぞれに対応する前記開閉栓（１２）及び前記球形バルブ（１３）を設けて、複数の前記雨水取出管（７）から雨水を取り出せるようにした請求項１又は２に記載の縦樋雨水切替弁（５）。
【発明の詳細な説明】
【技術分野】
【０００１】
本発明は、縦樋から雨水を集水するための縦樋雨水切替弁に関する。
【背景技術】
【０００２】
従来、雨水を取り出して利用する技術として、目的や用途に応じた特許文献が開示されている。例えば特許文献１には、縦樋の中間部にごみ受部を設けることにより、縦樋を通過するごみを捕捉する技術が開示されている。また特許文献２には、二方向分岐管を使いスライダーバルブを用いて開閉して、流路を替える技術が開示されている。また特許文献３では、雨水切替弁の本体直管部に外接するスライド体の収納体を一体形成し、端部に蓋を設け密閉性に優れたスライド方法の切替弁の技術が開示されている。いずれも水平方向に弁をスライドさせて開閉を行い、流路を替える技術である。
【先行技術文献】
【特許文献】
【０００３】
【特許文献１】特開２００８−１７５０４２
【特許文献２】特開平９−２１１６５
【特許文献３】特開２０２０−６６２８３４６
【発明の概要】
【発明が解決しようとする課題】
【０００４】
特許文献１の縦樋分岐継手では、中間部にＹ字管を利用した迂回路と直進する導水管の手前にスクリーンを配設してごみを除去し、雨水溜室を設けて、溜まった雨水はホース径の接続管を通して貯水槽に排水し、水溜室の下部に小穴を設けて、ごみや砂塵などを自然に排出する構成である。しかしながら、特許文献１に記載されている発明は、地震などの災害時、汎用品を用いて組み立て使用するとあるが、汎用品の調達には困難を極める。また、迂回路にエルボやソケットを組み合わせる煩雑な構成であり、ごみを捕捉するスクリーンなどに費用と組立て時間を要するので、一般家庭での採用は難しい。
【０００５】
特許文献２の雨水利用装置では、縦樋の中間に三方向分岐管を設け、雨水タンクや用水槽に蓄えたり地面に浸透させたりと、多機能的な利用を目的とした装置で、手動及び自動のバルブを備えた雨水利用のノウハウを合わせ持った雨水利用の装置であるので、大掛かりで限定的な場所にしか使用できず、費用と組立て時間を要するので、一般家庭での採用は難しい。
【０００６】
特許文献３の雨水切替弁では、本体とスライド体収納体を一体形成し、端部に蓋を設けた密閉性に優れた雨水切替弁であるが、本体直管部に収納体が外接して突起部として設けているため、他の物体との接触による衝撃で破損したり、狭い場所での設置では使い勝手の悪い面がある。
【課題を解決するための手段】
【０００７】
前記課題を解決するため、本発明の縦樋雨水切替弁は、縦樋を流れ落ちる雨水の流路を切り替えて、雨水を縦樋から取り出すための縦樋雨水切替弁（５）であって、縦樋上部（１）から縦樋下部（２）へと雨水を流す上下管（６）と、前記上下管（６）から分岐した雨水取出管（７）と、雨水取出管（７）の端部に装着する開閉栓（１２）と、前記上下管（６）と前記雨水取出管（７）との間を行き来可能な球形バルブ（１３）と、前記開閉栓（１２）と前記球形バルブ（１３）とを連結する線条体（１５）とを備え、前記球形バルブ（１３）が前記上下管（６）の位置にあり、雨水が前記雨水取出管（７）に導かれる状態と、前記線条体（１５）で前記球形バルブ（１３）を前記雨水取出管（７）に引き込んで、雨水が前記縦樋上部（１）から前記縦樋下部（２）へ流れる状態とを切り替えられることを特徴とする。
【０００８】
前記本発明の縦樋雨水切替弁によれば、雨水取出管（７）の位置に、球形バルブ（１３）が装着状態の場合は、雨水は上下管（６）から縦樋下部（２）へ流れ、排水路に排水される。上下管（６）の位置に、球形バルブ（１３）が装着状態の場合は、雨水は雨水取出管（７）に導かれる状態となり、流路が切り替わることで雨水が取り出され集水される。
【０００９】
前記本発明の縦樋雨水切替弁においては、前記上下管（６）又は前記雨水取出管（７）の少なくとも一方に、弁座となる管（４）を嵌め込み、前記管（４）の端部で前記球形バルブ（１３）の移動を規制するようにしたことが好ましい。
【００１０】
この構成によれば、上下管（６）と雨水取出管（７）に弁座を有した管（４）（以下「弁座管」という。）を設けることで、球形バルブ（１３）による安定した弁の開閉が可能である。また、球形バルブ（１３）の大きさが異なる場合は、弁座管（４）の肉厚を替えることで対処できる。
【００１１】
また、前記雨水取出管（７）を複数設けて、複数の前記雨水取出管（７）のそれぞれに対応する前記開閉栓（１２）及び前記球形バルブ（１３）を設けて、複数の前記雨水取出管（７）から雨水を取り出せるようにしたことが好ましい。
【発明の効果】
【００１２】
本発明によれば、構造が簡単で、かつ操作が容易で、安全性・安定性・耐久性に優れているので、高齢者・女性・子供でも容易に雨水を取り出せることができる。
【００１３】
また、雨水切替弁を構成する大半に汎用品を用いることが可能である。汎用品を多く使うことでコストが抑えられるので、一般家庭でも採用が容易になる。
【図面の簡単な説明】
【００１４】
【図１】本発明の実施形態に係る雨水切替弁の設置斜視図
【図２】本発明の実施形態に係る雨水切替弁の側面図
【図３】本発明の実施形態に係る雨水切替弁の雨水取出管Ａ−Ａ断面図
【図４】本発明の実施形態に係る雨水切替弁の上下管下部カップリングＢ−Ｂ断面図
【図５】本発明の実施形態に係る雨水切替弁の斜視図
【図６】本発明の実施形態に係る雨水切替弁の継手掃除口開閉栓取外し拡大図
【図７】本発明の実施形態に係る雨水切替弁の球形バルブの雨水取出管弁座密着断面図
【図８】本発明の実施形態に係る雨水切替弁の球形バルブの上下管弁座密着断面図
【図９】本発明の実施形態に係る雨水切替弁の上下管弁座管配設断面図
【図１０】本発明の実施形態に係る雨水切替弁の球形バルブ斜視図
【図１１】本発明の実施形態に係る雨水切替弁の球形バルブ断面図
【図１２】本発明の実施形態に係る雨水切替弁の球形バルブ線条体取付部拡大図
【図１３】本発明の実施形態に係る雨水切替弁の開閉栓線条体取付部位斜視図
【図１４】本発明の実施形態に係る雨水切替弁の二方向分岐管の側面図
【発明を実施するための形態】
【００１５】
以下添付図を参照として、本発明の実施形態について説明するが、本発明は以下の実施形態に限定されるものではない。
【００１６】
雨水切替弁５を設置するための準備について説明する。まず、縦樋の中間部を雨水切替弁５の寸法に合わせて切断する。この切断箇所は雨水切替弁５の設置位置であって、地面から略８０〜１２０ｃｍが好ましい。
【００１７】
切断した中間部を元の位置に戻し、継手ソケット３を２個用いて、縦樋上部１と縦樋下部２にそれぞれ接続し、縦樋取付金具で家屋に固定する。平常時に、雨水が排水路へ排水される形態である。
【００１８】
平常時は、雨水切替弁５を縦樋に設置せず、屋内に保管しておくことが好ましい。太陽光や風雨によって劣化し、災害時に使用不能になることを回避するためである。
【００１９】
雨水切替弁５を取り付ける場合は、縦樋に設置した上記の中間部と上部の継手ソケット３を取り外して、雨水切替弁５を取り付ける。この時縦樋上部１は、上下管上部カップリング８に内接接続する。水圧はかからないので、回転自在の接続でよい。
【００２０】
縦樋下部２は、継手ソケット３を用いて、上下管下部カップリング９に内接して設けられた弁座管４の端部と接続する。縦樋下部２を持ち上げて、継手ソケット３に嵌め込み接続する。
【００２１】
上記のように接続した縦樋は、縦樋取付金具を用いて家屋に固定する。縦樋下部２の縦樋取付金具の取り付け個所は、雨水切替弁５の下方へのずれを考慮して、継手ソケット３の下部が望ましい。
【００２２】
図１の縦樋に設置する雨水切替弁５は、上記の取付方法で設置するが、汎用品を活用した簡単な方法であり、回転自在で取り付け取り外しが容易にできることが好ましい。
【００２３】
図２は、雨水切替弁５の側面図である。上下管６と上下管６から分岐した雨水取出管７、上下管上部カップリング８、上下管下部カップリング９、雨水取出管カップリング１０である。
【００２４】
符号１１は、雨水取出管カップリング１０に回転自在に外接接続した継手掃除口で、端部に開閉栓１２を具備している。開閉栓１２は閉じている。符号４は弁座管であり、符号３の継手ソケットに回転自在に内接接続している。
【００２５】
上下管下部カップリング９のＢ−Ｂ断面と雨水取出管カップリング１０に接続している継手掃除口１１のＡ−Ａ断面の位置を表示している。
【００２６】
図３は、上記記載のＡ−Ａ断面である。符号１１は、雨水取出管カップリング１０に外接接続している継手掃除口である。符号４は、雨水取出管カップリング１０に内接挿入された弁座管で、雨水取出管７の弁座を有している。前述３管は、同心かつ多層に接続されている。
【００２７】
図４は、上記記載のＢ−Ｂ断面である。符号４は、上下管下部カップリング９に内接挿入された弁座管で、上下管６の弁座を有している。前述２管は、同心かつ多層に接続されている。
【００２８】
図５は、雨水切替弁５の継手掃除口１１の斜視図である。符号１２は、継手掃除口１１の端部に具備された開閉栓であり、閉じた形態である。
【００２９】
図６は、継手掃除口１１の拡大斜視図である。開閉栓１２と球形バルブ１３は、開閉栓１２に接続した線条体１５（図７、８参照）で連結されており、雨水切替弁５から取り外されている。管内部の掃除のための形態である。雨水取出管７に外接する継手掃除口１１を取り外すことで、上下管６に詰まる大きなごみを取り除くことができる。
【００３０】
図７は、雨水が排水路へ排水されている形態の雨水切替弁５の断面図である。球形バルブ１３は、雨水取出管７の弁座管４の弁座で位置が規制され、弁座管４に密着して雨水取出管７を閉じている。この状態では、前述のように雨水は排水路に排水される。
【００３１】
開閉栓１２は閉じられ、球形バルブ１３と開閉栓１２を連結している線条体１５は、継手掃除口１１に内蔵されている。開閉栓１２は、開放自在かつ密閉可能な構成である。
【００３２】
図８は、雨水が雨水取出管７を流れ、開口部から流れ出ている形態の雨水切替弁５の断面図である。球形バルブ１３は、上下管６の弁座管４の弁座で位置が規制され、弁座管４に密着して上下管６を閉じている。この状態では、上下管６に溜まる雨水は流路を替え、雨水取出管７を流れ、開口部より排水される。
【００３３】
排水された雨水は、地上に設置された仮設容器で集水される。容器は積み重ねができるバケツなどが好ましい。またホースを取り付けると、離れた場所に送水することができる。
【００３４】
図９は、雨水切替弁５の上下管６と弁座管４の接続拡大図である。上下管下部カップリング９に内接して弁座管４を設けている。球形バルブ１３は汎用品を用いるため、大きさが異なる場合がある。その場合は、弁座管４の肉厚を替えることで対処する。
【００３５】
図９の弁座管４の上端部は球形バルブ１３の弁座であり、球形バルブ１３の略外径の円弧形状に成形されている。円弧形状に成形することで、球形バルブ１３との密着性が良くなる。ただし、弁座管４の弁座部を円弧形状に成形せず切り落とし状態でも、弁座として用いることは可能である。
【００３６】
弁座管４の下端部は、継手ソケット３によって縦樋下部２と接続している。上記のように、継手ソケット３の下部の位置で縦樋取付金具を用いて、縦樋下部２を家屋に固定する。この形態にすることで、雨水切替弁５の下方へのずれを支える。
【００３７】
図１０は、雨水切替弁５の球形バルブ１３の斜視図である。球形バルブ１３を線条体取付金具１４を用いて、線条体１５と接続している。線条体１５端部は、開閉栓１２の開閉栓線条体接続部位１６の開口部に線条体接続部材１７を用いて接続されている。
【００３８】
本実施例では、線条体接続部材１６にステンレスクリップピンを用いているが、材質はステンレスに限定されたものではなく、同等の剛性を有するものであれば良い。また、形状については、クリップピンに限るものではなく堅固で容易に接続できるものであれば良い。
【００３９】
上記のような形態にすることで、球形バルブ１３と開閉栓１２が線条体１５を介して一体となる。このように、開閉栓１２に接続した線条体１５の自在な動きを活用し連動することで、弁の開閉が簡単にできる。
【００４０】
雨水がいらなくなった時には、前述したように、外している開閉栓１２を手で持ち軽く引っ張るだけで、球形バルブ１３が上下管６の弁座を離脱した後、雨水取出管７の弁座に密着して弁を閉じ、流路を替えることができる。
【００４１】
雨水を取り出す時には、開閉栓１２を外し、雨水取出管７の弁座に密着している球形バルブ１３を指で軽く押して、上下管６へ落し込む。球形バルブ１３は雨水取出管７の弁座を離脱した後、上下管６の弁座に密着し弁を閉じることで、流路を替えることができる。そして、開閉栓１２を外した後の開口部から排水し集水する。
【００４２】
図１１は、雨水切替弁５の球形バルブ１３の断面図である。球形バルブ１３上部は、球形バルブ線条体接続金具１４を取り付けるため、半円状に開口し一体成形されている。開口部に球形バルブ線条体接続金具１４を取り付け、線条体１５と接続する。
【００４３】
球形バルブ１３の略上半分は硬質ゴムであり、略下半分はゴムの弾性を利用するために中空で、底部中央部は円形に開口されている。上下管６の弁座に密着している状態の球形バルブ１３には、上下管６に常時溜まる雨水から圧力がかかるので、安定した密着状態が維持できる。
【００４４】
例えば、上記記載の線条体１５は、本実施例では図面に球形鎖を用いて説明しているが、これに限定されるものではない。線条体は、耐蝕性の素材で、かつ球形バルブ１３が弁座間を移動するのに十分な剛性・耐久性を満たすものであれば良い。
【００４５】
図１２は、球形バルブ１３の球形バルブ線条体接続金具１４の拡大斜視図である。
【００４６】
図１３は、開閉栓１２の開閉栓線条体接続部位の斜視図である。本発明の球形バルブ１３が弁座間を移動して、弁の開閉の操作を行う開閉栓である。開閉栓線条体接続部位１６を開口して、線条体接続部材１７を用いて線条体１５と接続し、球形バルブ１３と開閉栓１２が連動して動くことを特徴とする雨水切替弁である。
【００４７】
この形態にすることで、上記のように容易で安全に開閉栓を操作することができ、高齢者・女性・子供などの弱い力でも簡単に球形バルブと弁座を密着させることができる。線条体１５の長さは、弁座間の距離の略２〜２．５倍が適切である。
【００４８】
図１４は、二方向分岐管１８の側面図である。多方向の場所に送水が必要とされる場合、複数の分岐管を用いることが知られている。二方向分岐管１８のそれぞれの分岐管部に、本発明の継手掃除口１１と開閉栓１２と開閉栓１２に接続された球形バルブ１３を配設し、上記の操作を行うことで簡単に切替ができ、雨水が必要な場所に送水可能である。
【００４９】
雨水切替弁５の保守点検は定期的に行うことが必要である。平常時に雨水切替弁５を設置していない場合は、縦樋を流れ落ちる雨水が砂塵や木の葉などのごみを直接排水路へと流すので、保守点検の間隔は長期でよい。
【００５０】
掃除を行う場合、継手掃除口１１は雨水切替弁５に回転自在に接続しているので、手で簡単に脱着でき、管内部の掃除が容易にできることが好ましい。
【符号の説明】
【００５１】
１  縦樋上部
２  縦樋下部
３  継手ソケット
４  弁座管
５  縦樋雨水切替弁
６  上下管
７  雨水取出管
８  上下管上部カップリング
９  上下管下部カップリング
１０  雨水取出管カップリング
１１  継手掃除口
１２  開閉栓
１３  球形バルブ
１４  球形バルブ線条体接続金具
１５  線条体
１６  開閉栓線条体接続部位
１７  線条体接続部材
１８  二方向分岐管
【要約】
【課題】南海トラフ大地震や首都直下地震発生時に、水道施設の広域での大規模被害が想定される。復旧には長期間を要することとなり、被災生活は困難を極める。最も必要となるのが水であり、飲料水は行政から供給される場合があるが、最も大量に使う雑用水は個々の調達である。雨水から雑用水を集水するための縦樋雨水切替弁である。
【解決手段】汎用品を活用して低コストで構造を簡単にすることで、安定性に優れ破損しにくく操作が容易であるため、高齢者や女性も安全に取り扱える。経済的で一般家庭で採用することができる災害用縦樋雨水切替可変球形バルブを提供する。
【選択図】図８【図１】
0006750839.tif 000002
【図２】
0006750839.tif 000003
【図３】
0006750839.tif 000004
【図４】
0006750839.tif 000005
【図５】
0006750839.tif 000006
【図６】
0006750839.tif 000007
【図７】
0006750839.tif 000008
【図８】
0006750839.tif 000009
【図９】
0006750839.tif 000010
【図１０】
0006750839.tif 000011
【図１１】
0006750839.tif 000012
【図１２】
0006750839.tif 000013
【図１３】
0006750839.tif 000014
【図１４】
0006750839.tif 000015